(57)【要約】【課題】採血や静脈注射等において静脈を穿刺する際に適切な駆血圧で簡便に装着できる駆血帯を提供する。【解決手段】  静脈穿刺に際して使用するゴム管と留め具、またはベルトと留め具よりなる駆血帯において、静脈穿刺に適切な駆血圧で装着する指標としてゴム管またはベルト部に１種類または２種類の色を使用し、繰り返し適切な間隔で線を引いたことを特徴とする駆血帯を提供する。また、ベルトと留め具よりなる駆血帯においては、静脈穿刺に適切な駆血圧で装着する指標としてベルト部に１種類の図形または２種類の色や模様の異なった図形を繰り返し配置したことを特徴とする駆血帯も提供する。【選択図】図２
0003150237.tif 000002
【実用新案登録請求の範囲】
【請求項１】
静脈穿刺に際して使用するゴム管または伸縮性ベルトと留め具よりなる駆血帯において、静脈穿刺に適切な駆血圧で装着する指標としてゴム管またはベルト部に１種類または２種類の異なった色を使用し、同じ順序で繰り返し適切な間隔で線を引いてあることを特徴とする駆血帯。
【請求項２】
静脈穿刺に際して使用する伸縮性ベルトと留め具よりなる駆血帯において、静脈穿刺に適切な駆血圧で装着する指標として、ベルト部に１種類の図形または２種類の色や模様の異なった図形を同じ順序で繰り返し適切な間隔で配置したことを特徴とする駆血帯。
【考案の詳細な説明】
【技術分野】
【０００１】  本考案は静脈穿刺に際し、適切な駆血圧で簡便に駆血帯を装着することを目的とした駆血帯である。
【背景技術】
【０００２】  従来より、採血や静脈注射等において静脈を穿刺する際に、静脈を怒張させ穿刺し易くする目的で、ゴム管のみまたは留め金の付いたゴム管製（以後ゴム管式と記す）の駆血帯が用いられてきた。近年、伸縮性ベルトと留め金（以後ベルト式と記す：特許文献１）や平面ファスナーなどで作成された駆血帯も開発されているが、いずれの駆血帯においてもどれくらいの強さで締め付ければいいかという指標が示されていない。
【先行技術文献】
【特許文献】
【０００３】
【特許文献１】  特表平７−５０１４７１
【考案の概要】
【考案が解決しようとする課題】
【０００４】  米国のＰｒｏｃｅｄｕｒｅｓ  ｆｏｒ  ｔｈｅ  Ｃｏｌｌｅｃｔｉｏｎ  ｏｆ  Ｄｉａｇｎｏｓｔｉｃ  Ｂｌｏｏｄ  Ｓｐｅｃｉｍｅｎｓ  ｂｙ  Ｖｅｎｉｐｕｎｃｔｕｒｅ；Ａｐｐｒｏｖｅｄ  ｓｔａｎｄａｒｄ−Ｓｉｘｔｈ  Ｅｄｉｔｉｏｎ，（Ｃｌｉｎｉｃａｌ  ａｎｄ  Ｌａｂｏｒａｔｏｒｙ  Ｓｔａｎｄａｒｄｓ  Ｉｎｓｔｉｔｕｔｅ（ＣＬＳＩ）２００７）においては、適切な駆血圧（駆血帯を締めたときの圧力）として水銀血圧計のマンシェットを用いた場合は、末梢の動脈血流障害を考慮して４０ｍｍＨｇ以上にしないと記載されているが、実際に使用されている駆血帯を用いた時の適切な駆血圧については記載されていない。一方、標準採血法ガイドライン（日本臨床検査標準協議会編２００６）においては、現実には駆血圧を測定して駆血帯を装着することがほとんど無いという理由で、具体的な静脈穿刺時の駆血圧は示されていない。【０００５】  我々の研究では、個人差が大きいものの適切な駆血圧はゴム管式で７０〜９５ｍｍＨｇ、ベルト式で４５〜９５ｍｍＨｇと考えられた。そして、駆血圧が駆血帯を装着された者の最高血圧を超えると動脈血の流入を減少させることにより、かえって静脈怒張度が減少することも明らかにした。しかるに、看護師を対象とした我々の調査では、７割以上の看護師が１００ｍｍＨｇ以上の高い駆血圧で駆血帯を装着しており、苦痛を増加させているのみか、最高血圧より高い圧力で装着することにより静脈の怒張低下を招き、静脈穿刺を難しくしている現状がある。【０００６】  上記のように、現在では静脈穿刺に適切な駆血圧で駆血帯を装着する目安が無い状態にある。そこで、本考案は適切な駆血圧で簡便に装着できる駆血帯を提供することである。
【課題を解決するための手段】
【０００７】  本課題を解決する目的で、本考案は静脈穿刺に際して使用するゴム管式またはベルト式駆血帯において、静脈穿刺に適切な駆血圧で装着する指標としてゴム管またはベルト部に１種類または２種類の色を使用し、同じ順序で繰り返し適切な間隔で線を引いたことを特徴とする駆血帯を提供する。また、ベルト式駆血帯においては、静脈穿刺に適切な駆血圧で装着する指標としてベルト部に１種類の図形または２種類の色や模様の異なった図形を同じ順序で繰り返し適切な間隔で配置したことを特徴とする駆血帯も提供する。【０００８】  以下に１種類の線を繰り返し引いた場合について説明する。ゴム管またはベルトの留め具から遠い順に線にＡ１、Ｂ１、Ａ２、Ｂ２、Ａ３、Ｂ３・・・・と仮に名付ける。Ａ１の位置はゴム管式では留め具から３５ｃｍ、ベルト式では４０ｃｍの位置とし、線の間隔は以下のようにして決定する。【０００９】  まず駆血帯装着部に軽く駆血帯を巻き、締め付けないで留めると仮定した場合の留め具のゴム管またはベルトにおける位置をＡ１とした場合、その後駆血帯を牽引し、留めたときにゴム管式では６０−７０ｍｍＨｇの駆血圧、ベルト式では４０−６０ｍｍＨｇの駆血圧が得られる位置を我々の研究結果から計算し、Ａ２とする。【００１０】  Ａ３以下は同様に、締め付けないで留めると仮定した場合の留め具の位置がＡ２の場合は、その後駆血帯を牽引し、留めたときにゴム管式では６０−７０ｍｍＨｇの駆血圧、ベルト式では４０−６０ｍｍＨｇの駆血圧が得られる位置を計算し、Ａ３とするようにして、順次決めていく。【００１１】  Ｂ１の位置はＡ１とＡ２の中点とし、Ｂ２、Ｂ３、Ｂ４・・・の位置はＡ３，Ａ４、Ａ５・・・の位置を決めた方法と同様におこなう。【００１２】  ２種類の異なった色の線を使用する際には、Ａ１、Ａ２，Ａ３・・・のようなＡ系列の線を色ＡとしＢ１、Ｂ２、Ｂ３・・・のようなＢ系列の線を色Ｂとする。【００１３】  ベルト式において図形を使用する場合は線を引く代わりに、Ａ１とＢ１、Ｂ１とＡ２、Ａ２とＢ２、Ｂ２とＡ３、Ａ３とＢ３・・・のそれぞれの間に図形を一個ずつ配置する。【００１４】  ２種類の色や模様の異なった図形を使用する場合は、一つおきに色や模様の同じ図形が来るように配置する。【００１５】  つぎに、上記のようにして線を引いた駆血帯（線は留め具から遠い順にＡ１、Ｂ１、Ａ２、Ｂ２、Ａ３、Ｂ３・・・・とする）の場合についての使用法を説明する。【００１６】  駆血帯を軽く装着部位に巻き、そのまま留めると仮定した時に、留め具がゴム管またはベルトのどの位置にあたるか確認する。つぎにゴム管またはベルトを牽引して伸ばし、線２本分短い位置で留める。たとえば引き伸ばす前にＡ４の位置であった場合はＡ５の位置で留める。【００１７】  同様に駆血帯を軽く装着部位に巻いた時の留め具の位置がＡ４とＢ４の中間の位置であれば、Ａ５とＢ５の中間の位置で留める。【００１８】  ベルト式駆血帯で図形を配置した場合は、駆血帯を軽く装着部位に巻き、そのまま留めると仮定したときの留め具の位置から図形２個分短い位置まで牽引して留める。【００１９】  これらの動作により過半数の人は静脈穿刺に必要な静脈の怒張が得られるが、得られない場合は���を引いた駆血帯では線３本分短い位置まで、図形を配置した駆血帯の場合は図形３個分短い位置まで牽引して留める。
【考案の効果】
【００２０】  本考案の駆血帯を使用することにより、静脈穿刺施行者は適切な駆血圧で簡便に駆血帯を装着することが出来、低すぎる駆血圧による静脈の怒張不足や、高すぎる駆血圧による静脈怒張の減少や患者の苦痛の増加を防ぐことが出来る。
【図面の簡単な説明】
【００２１】
【図１】本考案におけるゴム管式駆血帯の模式図である。
【図２】本考案におけるベルト式駆血帯の模式図である。
【考案を実施するための形態】
【００２２】  図１にゴム管式駆血帯に２種類の異なった色の線（Ａ、Ｂ）を繰り返し適切な間隔で線を引いた駆血帯を、図２にベルト式駆血帯に２種類の異なった模様の図形を繰り返し配置した駆血帯を示す。
【００２３】  まず図１について線の位置の決定方法について説明する。線Ａ１は留め具から３５ｃｍの位置にする。
【００２４】  まず駆血帯装着部に軽く駆血帯を巻き、締め付けないで留めると仮定した場合の留め具のゴム管における位置をＡ１とした場合、その後駆血帯を牽引し、留めたときに６０−７０ｍｍＨｇの駆血圧が得られる位置を我々の研究結果から計算し、Ａ２とする。
【００２５】  Ａ３以下は同様に、締め付けないで留めると仮定した場合の留め具の位置がＡ２の場合は、その後駆血帯を牽引し、留めたときに６０−７０ｍｍＨｇの駆血圧が得られる位置を計算し、Ａ３とするようにして、順次決めていく。
【００２６】  Ｂ１の位置はＡ１とＡ２の中点とし、Ｂ２、Ｂ３、Ｂ４・・・の位置はＡ２，Ａ３，Ａ４・・・を決めた方法と同様におこなう。
【００２７】  つぎに、図２のベルト式駆血帯について説明する。Ａ１の位置は留め具より４０ｃｍの位置とする。
【００２８】  駆血帯装着部に軽く駆血帯を巻き、締め付けないで留めると仮定した場合の留め具のベルトにおける位置をＡ１とした場合、その後駆血帯を牽引し、留めたときに４０−６０ｍｍＨｇの駆血圧が得られる位置を我々の研究結果から計算し、Ａ２とする。
【００２９】  以下、Ｂ１、Ａ２、Ｂ２、Ａ３、Ｂ３、Ａ４、Ｂ４・・・の位置は、留めたときに４０−６０ｍｍＨｇの駆血圧が得られる位置とした以外は、ゴム管式駆血帯と同様にして決定する。
【００３０】  Ａ１とＢ１の間、Ｂ１とＡ２の間、Ａ２とＢ２の間、・・・のそれぞれに図形（図２では菱形）を配置する。図形の色および模様は２種類とし、一つおきに色および模様の同じ図形が来るように配置する。
【実施例】
【００３１】  図２のように作成したベルト式駆血帯について、健常者２５名を対象に検討した結果、図形２個分短い位置で留めたときの駆血圧は４０．６±７．９ｍｍＨｇ、静脈穿刺が可能と考えられる者は約６０％、図形３個分短い位置で留めたときの駆血圧は７１．７±１７．７ｍｍＨｇ、静脈穿刺が可能と考えられる者は８０％以上とほぼ我々の想定した範囲内であり、適切な駆血圧で簡便に装着可能であった。
【図１】
0003150237.tif 000003
【図２】
0003150237.tif 000004